【事件の表示】
　特願２００２−５３５０１３「オン−デマンドメディア送達システムのサーバにおけるデータの格納を提供するシステムおよび方法」拒絶査定不服審判事件〔平成１４年　４月１８日国際公開、ＷＯ０２／３１７０１、平成１６年　４月１５日国内公表、特表２００４−５１１９３７〕について、次のとおり審決する。
【結　論】
　本件審判の請求は、成り立たない。
【理　由】
第一　経緯
１　手続
　本願は、２００１年（平成１３年）１０月９日（パリ条約による優先権主張　２０００年１０月１１日　（ＵＳ）アメリカ合衆国　２０００年１１月２０日　（ＵＳ）アメリカ合衆国　２００１年２月２１日　（ＵＳ）アメリカ合衆国）を国際出願日とする出願であって、平成１６年１０月８日付け、平成１７年１０月２４日付けで手続補正がなされたが、平成１７年１２月２日付けで拒絶査定された。
　本件は、本願についてされた上記拒絶査定を不服とする平成１８年３月６日の審判請求であり、請求後、平成１８年４月５日付けで手続補正書（明細書又は図面について請求の日から３０日以内にする補正）が提出された。
　
　当審において、平成２１年３月２７日付けで査定の理由とは異なる拒絶の理由を通知したところ、平成２１年９月３０日付けで意見書及び手続補正書が提出された。
　
２　当審の拒絶の理由
　当審が平成２１年３月２７日付けで通知した拒絶の理由は、概略、以下のとおりである。
　
　　　　　　　　　　　　　　　理　由
　この出願の請求項１ないし２９に係る発明は、その出願前日本国内又は外国において頒布された下記の刊行物に記載された発明に基づいて、その出願前にその発明の属する技術の分野における通常の知識を有するものが容易に発明をすることができたものであるから、特許法第２９条第２項の規定により特許を受けることができない。
　
　　　　　　　　　　　　　　　　記
刊行物１：特開平９−２１４８７３号公報
刊行物２：米国特許第５７７１３５４号明細書
　
　
第二　本願発明
　本願の請求項１ないし２９に係る発明は、本願明細書及び図面（平成１６年１０月８日付け、平成１７年１０月２４日付け、平成１８年４月５日付け、平成２１年９月３０日付けの各手続補正書により補正された明細書及び図面）の記載からみて、それぞれ、特許請求の範囲の請求項１ないし２９に記載したとおりのものであるところ、そのうち、請求項１に係る発明（以下「本願発明」という）は、以下のとおりのものである。
　
「複数のユーザ機器デバイスと、
　遠隔配信施設として構成されている遠隔メディア−オン−デマンドサーバと
　を備えた対話式メディア−オン−デマンドシステムであって、
　該複数のユーザ機器デバイスのそれぞれは、該遠隔メディア−オン−デマンドサーバに格納された複数のメディア−オン−デマンド番組の中からユーザによって選択されたメディア−オン−デマンド番組の送達を要求するための命令を受け取るように構成されており、該遠隔メディア−オン−デマンドサーバから送達されたメディア−オン−デマンド番組を該ユーザに提示するように構成されており、選択されたメディア−オン−デマンド番組の送達を凍結するように要求するための命令を受け取ることによって、該選択されたメディア−オン−デマンド番組の送達を凍結するように該ユーザが要求することを可能にするように構成されており、該選択されたメディア−オン−デマンド番組の送達を再開するように要求するための命令を受け取ることによって、該送達が凍結されたポイントから該選択されたメディア−オン−デマンド番組の該送達を再開するように該ユーザが要求することを可能にするように構成されており、所与のユーザ機器デバイスにおいて該ユーザを識別するために該遠隔メディア−オン−デマンドサーバに該ユーザに関連した情報を提供するための命令を受け取るように構成されており、
　該遠隔メディア−オン−デマンドサーバは、所与のユーザ機器デバイスから提供された該ユーザに関連した情報に基づいて、該所与のユーザ機器デバイスのユーザを識別するように構成されており、該遠隔メディア−オン−デマンドサーバに格納された複数メディア−オン−デマンド番組の中から該ユーザによって選択されたものとして、該選択されたメディア−オン−デマンド番組を提供するように構成されており、該複数のユーザ機器デバイスのそれぞれに該選択されたメディア−オン−デマンド番組を送達するように構成されており、該遠隔メディア−オン−デマンドサーバが該選択されたメディア−オン−デマンド番組を送達せよという要求を該識別されたユーザから受け取った場合には、第１のユーザ機器デバイスに該選択されたメディア−オン−デマンド番組を送達するように構成されており、該遠隔メディア−オン−デマンドサーバが送達を凍結せよという要求を該複数のユーザ機器デバイスのうちの該第１のユーザ機器デバイスの該識別されたユーザから受け取った場合には、該複数のユーザ機器デバイスのうちの該第１のユーザ機器デバイスへの該選択されたメディア−オン−デマンド番組の送達を凍結するように構成されており、該遠隔メディア−オン−デマンドサーバが該選択されたメディア−オン−デマンド番組の送達を凍結せよという要求を受け取った場合には、該選択されたメディア−オン−デマンド番組の送達が凍結されたポイントを識別する情報を格納するように構成されており、該複数のユーザ機器デバイスのうちの第２のユーザ機器デバイスから、該選択されたメディア−オン−デマンド番組の送達を再開せよという要求を受け取るように構成されており、該選択されたメディア−オン−デマンド番組の送達が凍結されたポイントを識別する該格納された情報に基づいて、該選択されたメディア−オン−デマンド番組の送達が凍結されたポイントを決定するように構成されており、該遠隔メディア−オン−デマンドサーバが送達を再開せよという要求を受け取った場合には、該第２のユーザ機器デバイスへの該選択されたメディア−オン−デマンド番組の該送達を再開するように構成されており、
　該選択されたメディア−オン−デマンド番組は、該遠隔メディア−オン−デマンドサーバに格納された複数のメディア−オン−デマンド番組の中から該識別されたユーザによって選択され、該選択されたメディア−オン−デマンド番組の送達は、該番組の開始から始まり、
　該選択されたメディア−オン−デマンド番組の該第２のユーザ機器デバイスへの送達は、該選択されたメディア−オン−デマンド番組の送達が凍結された該決定されたポイントから再開され、
　該第１のユーザ機器デバイスおよび該第２のユーザ機器デバイスのそれぞれは、ユーザインターフェースを表示するように構成されており、
　該第１のユーザ機器デバイスに表示された該ユーザインターフェースは、該選択されたメディア−オン−デマンド番組を該第１のユーザ機器デバイスに送達するように要求するための命令を該識別されたユーザから受け取るように構成されており、
　該第１のユーザ機器デバイスに表示された該ユーザインターフェースは、該選択されたメディア−オン−デマンド番組の送達を凍結するように要求するための命令を該識別されたユーザから受け取ることによって、該第１のユーザ機器デバイスに送達されている該選択されたメディア−オン−デマンド番組の送達を凍結するように該識別されたユーザが要求することを可能にし、
　該第２のユーザ機器デバイスに表示された該ユーザインターフェースは、該選択されたメディア−オン−デマンド番組の送達を再開するように要求するための命令を該識別されたユーザから受け取ることによって、該第２のユーザ機器デバイスへの該選択されたメディア−オン−デマンド番組の送達を再開するように該識別されたユーザが要求することを可能にする、対話式メディア−オン−デマンドシステム。」
　
　
第三　当審の判断
１　刊行物
（１）刊行物１の記載
　当審の拒絶の理由において引用した刊行物１（特開平９−２１４８７３号公報）には、図面とともに、以下の技術事項が記載されている。
　
（ａ）「【０００１】
【発明の属する技術分野】本発明は、動画再生システムとそれに使用される端末装置に関する。
【０００２】
【従来の技術】従来、ビデオ映像等の動画情報を集中的に管理する管理装置と、これに接続された複数の動画再生用の端末装置（以下、単に端末ともいう）とを備えた動画再生システムが知られている。上述の動画再生システムにおいては、端末からの要求に応じて管理装置が動画データを送信するとともに、端末側ではその動画データに基づき動画の再生を行う。
【０００３】
【発明が解決しようとする課題】上述の動画再生システムにおいては、動画の再生は、先頭などの常に決まった位置から行われるのが一般的であった。しかしながら、このようなシステムでは、動画の再生を一旦中断した後にその続きを見たい場合でも、動画が常に先頭から再生されてしまうので、利用者が自分で早送りなどをして再開位置を見つける必要があり面倒であった。
【０００４】本発明の課題は、動画の再生を途中で中断した場合の次回の再生時に、所望の位置（例えば中断位置）からの動画再生の再開を容易に行うことができる動画再生システムとそれに使用される端末装置を提供することにある。」
　
（ｂ）「【０００８】また、再開位置記憶手段を端末装置側に設ける場合、再開位置は、該記憶手段に対し着脱可能に装着される記憶媒体に記憶されるように構成することができる。こうすれば、複数の利用者でシステムを利用する際に、各利用者の動画再生の中断位置の管理が一層容易となる他、中断位置の情報を記憶媒体とともにシステム外に持ち出すことが可能となるので、例えばあるシステムで動画を楽しんだのちその再生を中断し、次に、別の場所にある同種のシステムにおいてその続きを観賞できる等の利点も生ずる。」
　
（ｃ）「【０００９】一方、再開位置記憶手段は管理装置の側に設けることができる。この場合、端末装置には、その再開位置記憶手段に対し指定された再開位置を記憶させる記憶指令を、該管理装置に対し送信する記憶指令送信手段と、再開選択手段による選択結果に基づいて、再開位置から動画情報の転送を再開する転送再開指令を管理装置側に送信する転送再開指令送信手段とが設けられる。これに対応して管理装置には、上記記憶指令を受信する記憶指令受信手段と、転送再開指令を受信する転送再開指令受信手段とが設けられる。
【００１０】次に、再開位置指定手段は、動画の再生が途中で中断された場合に、その中断位置を再開位置として指定するものとすることができる。こうすれば、動画の再生を一旦中断して、後にその続きを見るような場合、その中断位置からの動画再生の再開を容易に行うことができる。
【００１１】具体的には、端末装置に、動画再生の中断を行うか否かを選択する中断選択手段と、その選択結果を管理装置に送信する中断選択結果送信手段とを設けることができる。これに対応して管理装置には、その選択結果を受信する中断選択結果受信手段と、受信した選択結果に基づいて動画情報転送手段に対し、動画情報の転送を中断させる転送中断制御手段とを設けることができる。この場合、中断選択手段が再開位置指定手段を構成していると見ることができる。上記構成によれば、動画再生の中断位置を、動画情報の転送中断位置として管理装置側で正確に把握することができる。また、中断位置記憶手段が端末装置に設けられる場合、管理装置には、その中断位置を送信する中断位置送信手段を設けることができ、端末装置には、その中断位置を受信する中断位置受信手段を設けることができる。
【００１２】ここで、動画の再生が中断された場合に、再開位置記憶手段に対しその中断位置を自動的に記憶させる記憶制御手段を設けることができる。これにより、動画再生を中断した際には必ずその中断位置が記憶されるので、利用者が特に意識しなくとも、次回には必ず前回中断した位置の続きから動画の再生を開始できる。」
　
（ｄ）「【００１４】
【発明の実施の形態】以下、本発明の実施の形態を、図面に示す実施例を参照して説明する。図１に示すように、本発明の一実施例たる動画再生システム１は、動画情報としての動画データを一括管理する管理装置２と、これに通信回線４を介して接続された動画再生用の複数の端末装置（以下、単に端末ともいう）３とを含んで構成されている。
【００１５】図２は、管理装置２及び端末３の内部構成を示すブロック図である。管理装置２は、ＣＰＵ１１、ＲＯＭ１２、ＲＡＭ１３を内蔵する管理側制御部１０と、これに接続されたデータ記憶装置１４、管理用の入力部１５及びモニタ制御部１６等を備え、モニタ制御部１６には管理用のモニタ１７が接続される（なお、入力部１５及びモニタ１７は省略してもよい）。データ記憶装置１４は、大容量ディスク記憶装置、あるいは光学式ビデオディスク読取装置等により構成され、動画データ記憶部３１（動画情報記憶手段）を有している。動画データ記憶部３１には、動画番号と対応付けられた複数の動画データがディジタル圧縮された状態で記憶されている。また、ＲＯＭ１２には、管理装置２の全体の制御を司る制御プログラム１２ａ、及び端末装置３とデータの受渡しを行うための通信プログラム１２ｂが格納されている。なお、ＣＰＵ１１は、転送再開制御手段の要部をなす。
【００１６】一方、端末３は、ＣＰＵ５１、ＲＯＭ５２及びＲＡＭ５３を備えた端末側制御部５０と、これに接続されて記憶媒体５７が着脱可能に装着される記憶装置５６、入力部５５、ＶＲＡＭ６３、Ｄ／Ａ変換器５８及びモニタ制御部６１等を備える。モニタ制御部６１にはＣＲＴや液晶ディスプレイ等の動画再生手段としてのモニタ６２が接続され、Ｄ／Ａ変換器５８にはアンプ５９を介して動画音声出力用のスピーカ６０が接続される。入力部５５は、動画選択のための入力、動画の再生・中断、その中断位置の記憶、さらには中断位置からの動画再生の再開などの各種指示入力を行うためのもので、端末側制御部５０に対し有線ないし無線により接続される。また、ＲＯＭ５２には、端末３の全体の制御を司る制御プログラム５２ａ、管理装置２とデータの受渡しを行うための通信プログラム５２ｂが格納されている。ここで、記憶装置５６は再開位置記憶手段を、入力部５５は再開位置指定手段、再開選択手段及び記憶選択手段をそれぞれ構成する。
【００１７】記憶媒体５７はＩＣカード、磁気カード、穿孔カード、光学式読取カード、磁気テープ、フロッピーディスク等で構成され（以下、ＩＣカードで代表させ、ＩＣカード５７という）、また、上記記憶装置５６はそれら媒体に対する記録及び読取装置として構成される（以下、データ書換え機能を有したＩＣカードリーダで代表させ、カードリーダ５６という）。ＩＣカード５７は、システムの各利用者に配付され、図３（ａ）に示すように、利用者を特定するための利用者ＩＤ９０、その利用者のパスワード９１、動画の再生を一時中断した場合のその中断状況を表す中断データ９２等が記録されている。このうち、中断データ９２は書換え可能に記録されており、再生を中断した動画を特定するための動画番号９３、その中断位置を示す中断位置データ９４、中断を行った日時を表す中断日付９５等を含んでいる。一方、管理装置２のデータ記憶装置１４には、利用者リスト記憶部３２が設けられており、図３（ｂ）（実線部分）に示すように、各利用者のパスワード９１が利用者ＩＤ９０と対応付けて記憶されている。」
　
（ｅ）「【００２０】以下、動画再生システム１の作動について、フローチャートを用いて説明する。図４は端末３側の処理の流れを、図５は管理装置２側の処理の流れをそれぞれ示している。すなわち、図４のＴ１において、利用者が自分のＩＣカード５７をカードリーダ５６に装着すると、利用者ＩＤが読み取られて管理装置２へ送信される。管理装置２は、図５のＳ１で利用者ＩＤを受信して図３（ｂ）の利用者リストにおいてこれを検索し、そのＩＤが検索されればパスワード入力を端末３側へ指示する。利用者は、Ｔ１でその指示に従い入力部５５（図２）からパスワードの入力を行うとともに、管理装置２はこれを受信してＳ２で照合を行い、照合一致であればＳ３で受付コマンドを、照合不一致であればＳ４でアラームコマンドをそれぞれ端末３へ送信する。端末３は、Ｔ２で受付コマンドを受信してＴ５以下に進む。一方、Ｔ３でアラームコマンドを受信した場合は、Ｔ４でモニタ６２にアラーム表示を行い、処理終了となる。
【００２１】次いで端末３では動画再生モードの選択となる。これには、新規再生と継続再生の２種類があり、前者では所望の動画を先頭から再生する処理が、後者では前回再生を途中で中断した動画について、その中断位置から継続再生する処理が行われる。まず、新規再生処理について説明すると、Ｔ５からＴ７へ進んで所望の動画を動画番号により入力部５５を用いて選択し、Ｔ８でその動画番号と開始コマンドを管理装置へ送信する。管理装置２では、図５のＳ５からＳ６に進んで動画番号と開始コマンドとを受信し、Ｓ７で動画番号に対応する動画データの読出しをその先頭から開始するとともに、Ｓ９でこれを端末３へ転送する。転送される圧縮された動画データは、圧縮解除部６６でその圧縮が解除されて端末側制御部５０に送り込まれる。
【００２２】圧縮解除後の動画データは、ＶＲＡＭ６３に順次取り込まれてコマ毎の画像パターンを形成するとともに、各コマの画像パターンのデータは所定のクロックを受けて順次切り替えられつつモニタ制御部６１へ転送され、モニタ６２において動画として再生される。なお、動画データに随伴して送られてくるデジタル音声データは、Ｄ／Ａ変換器５８でアナログ化され、さらにアンプ５９で増幅された後、動画再生と同期してスピーカ６０から出力される。なお、図２に示すように、管理装置２側に圧縮解除部２１を設けておき、動画データをここで圧縮解除してから端末３へ転送することもできる。この場合、端末３側の圧縮解除部６６は不要となる。
【００２３】図５に戻り、管理装置２は、端末装置３から中止ないし中断コマンドを受けない限り動画データを継続的に送信し続け、送るべき動画データがなくなると処理終了となる（Ｓ９、Ｓ１２、Ｓ１３）。端末３では、動画データを受信しながら再生を継続し、データ受信が途絶えると再生終了となる（Ｔ１０、Ｔ１１、Ｔ１７）。ここで、その再生を一旦停止したい場合には、入力部５５から停止の入力を行う。次いで、その停止に伴う再生の中断位置を記憶する場合は、Ｔ１４に進んで記憶付き中断処理となる。一方、記憶を行わない場合は、Ｔ１５に進んで中止コマンドが管理装置２へ送信される。管理装置２ではＳ１０でこれを受け、Ｓ１５でデータの読出しと送信を停止する。これにより、端末３における動画の再生は終了となる（Ｔ１６）。
【００２４】図７（ａ）は、記憶付き中断処理の詳細を示しており、まずＴ３０１において中断コマンドを管理装置２へ送信する。管理装置２は、図５のＳ１１でこれを受け、Ｓ１４へ進んで中断処理となる。その詳細は図９（ａ）に示す通りであって、Ｓ３０１で動画データの読み出しを中断し、Ｓ３０２でその中断位置を端末３へ送信する。端末３は図７（ａ）のＴ３０２でこれを受信し、Ｔ３０３において中断日付９５及び動画番号９３とともに、図３に示す形式でＩＣカード５７に記憶する。また、これと同時に動画の再生は中断される（Ｔ３０４）。
【００２５】さて、こうして再生を中断した後、再びその中断位置から再生を開始したい場合の処理について以下に説明する。この場合、図４のＴ１以下の処理が全く同様にして進められ、Ｔ５において継続再生が選択されるとＴ９に進んで継続再生処理となる。その詳細は図６（ａ）に示す通りであって、Ｔ２０１でＩＣカード５７から中断データ９２（図３）を読み出し、Ｔ２０２で中断日付が有効かどうか（例えば別途設定された有効期間を超過していないか等）を判断し、有効であればＴ２０３において中断データと継続コマンドとを管理装置２へ送信する。一方、日付が無効であれば所定の無効表示を行い、図４のＴ７へ進んで新規再生の処理となる。管理装置２では、Ｓ５で継続コマンドを受け、Ｓ８に進んで図８に詳細を示す継続処理となる。すなわち、Ｓ２０１で中断データを受信し、Ｓ２０２で、その中断データを参照して、指定された動画番号の動画データの読出しを中断位置から開始する。以下は図５のＳ９以下の処理となる。・・・（略）・・・」
　
（ｆ）「【００２７】一方、中断位置記憶部は、管理装置２に設けることができる。具体的には、図２に示すように、データ記憶装置１４に中断位置記憶部３３を設けておき、ここに図３（ｂ）に示すのと同形式で中断データ９２を記憶しておくことができる。この場合、端末３側の記憶付き中断処理（図４、Ｔ１４）は、図７（ｂ）に示すものとなる。すなわち、Ｔ３１１で中断コマンド（記憶指令）が管理装置２へ送信される。管理装置側の中断処理（図５、Ｓ１４）は図９（ｂ）に示すものとなり、Ｓ３１１で中断コマンドを受信して動画データの読出しを中断し、Ｓ３１２でその中断位置を動画番号及び日付とともに中断データ９２として中断位置記憶部３３に記憶する。端末３ではデータの受信が途絶えて再生中断となる（Ｔ３１２）。
【００２８】一方、継続再生処理（図４、Ｔ９）は図６（ｂ）に示すものとなり、Ｔ２１１で継続コマンドが管理装置２へ送信される。管理装置２では、図８（ｂ）に示す継続処理（図５、Ｓ８）となり、Ｓ２１１で継続コマンド（転送再開指令）を受信して、その利用者の中断データ９２を中断位置記憶部３３から読み出す。そして、その中断日付の有効性を判定し、有効であれば中断データに基づいて前述のＳ２０２（図８（ａ））と同様に、中断位置からの動画データの読出し・送信が開始される。一方、中断日付が無効であれば日付無効通知を端末３へ送信する。端末３ではＴ２１２でこれを受け、図４のＴ７へ進んで新規再生の処理となる。」
　
（２）刊行物１に記載された発明
　刊行物１に記載された発明として、本発明の実施の形態（段落【００１４】〜【００２５】）に記載された「動画再生システム」において、再生位置記憶手段（中断位置記憶部）を管理装置の側に設けた（段落【０００９】、段落【００２７】〜【００２８】参照）構成に基づいて認定する。
　
ア　動画再生システム
　上記（ａ）、（ｄ）によれば、刊行物１には、ビデオ映像等の動画情報を集中的に管理する管理装置と、複数の動画再生用の端末装置とからなる「動画再生システム」の発明が記載されているといえ、上記（ｄ）の段落【００１４】、図１によれば、刊行物１の「動画再生システム」は、複数の端末装置と、動画データを一括管理する管理装置とを備えているといえる。
　
イ　複数の端末装置
　以下、刊行物１の「動画再生システム」における、該複数の端末装置のそれぞれの各構成を順に認定する。
　
（ア）指示入力を入力させる
　上記（ｄ）の段落【００１６】によれば、該複数の端末装置のそれぞれは、利用者からの各種入力指示を行うための入力部を備えており、また、上記（ｄ）の段落【００１５】によれば、該管理装置に記憶された複数の動画データが動画番号と対応付けて記憶されており、さらに、上記（ｅ）の【００２１】、図４によれば、端末装置の入力部を用いて、動画データの動画番号を選択し、動画の送信を管理装置に要求している。
　よって、該複数の端末装置のそれぞれは、該管理装置に記憶された複数の動画データの中から利用者によって選択された動画データの送信を要求するための指示入力を入力させるように構成されており、といえる。
　
（イ）動画データを再生する
　上記（ｅ）の段落【００２１】〜【００２２】によれば、該複数の端末装置のそれぞれは、該管理装置から送信された動画データをモニタにおいて動画として再生するように構成されており、といえる。
　
（ウ）中断を要求する
　上述のとおり、該複数の端末装置のそれぞれは、利用者からの各種入力指示を行うための入力部を備えており、また、上記（ｅ）の段落【００２３】、図４によれば、利用者の入力によって、選択された動画データの送信を中断するように該利用者が要求することを可能にするように構成されている。
　よって、該複数の端末装置のそれぞれは、選択された動画データの送信を中断するように要求するための指示入力を入力させることによって、該選択された動画データの送信を中断するように該利用者が要求することを可能にするように構成されており、といえる。
　
（エ）再開を要求する
　上述のとおり、該複数の端末装置のそれぞれは、利用者からの各種入力指示を行うための入力部を備えており、また、上記（ｅ）の段落【００２５】、図４によれば、利用者の入力によって、送信が中断された中断位置から該選択された動画データの該送信を再開するように該利用者が要求することを可能にするように構成されている。
　よって、該複数の端末装置のそれぞれは、該選択された動画データの送信を再開するように要求するための指示入力を入力させることによって、該送信が中断された中断位置から該選択された動画データの該送信を再開するように該利用者が要求することを可能にするように構成されており、といえる。
　
（オ）パスワードを入力させる
　上記（ｅ）の段落【００２０】、図４によれば、該複数の端末装置のそれぞれは、特定の端末装置において該利用者を照合するために該管理装置に該利用者のパスワードを入力させるように構成されており、といえる。
　
（カ）まとめ（複数の端末装置）
　上記（ア）ないし（オ）によれば、刊行物１の「動画再生システム」では、該複数の端末装置のそれぞれは、
　　該管理装置に記憶された複数の動画データの中から利用者によって選択された動画データの送信を要求するための指示入力を入力させるように構成されており、
　　該管理装置から送信された動画データをモニタにおいて動画として再生するように構成されており、
　　選択された動画データの送信を中断するように要求するための指示入力を入力させることによって、該選択された動画データの送信を中断するように該利用者が要求することを可能にするように構成されており、
　　該選択された動画データの送信を再開するように要求するための指示入力を入力させることによって、該送信が中断された中断位置から該選択された動画データの該送信を再開するように該利用者が要求することを可能にするように構成されており、
　　特定の端末装置において該利用者を照合するために該管理装置に該利用者のパスワードを入力させるように構成されており、
　といえる。
　
ウ　管理装置
　以下、刊行物１の「動画再生システム」における、該管理装置の各構成を順に認定する。
　
（ア）パスワードを照合する
　上記（ｅ）の段落【００２０】、図５によれば、該管理装置は、特定の端末機器から送信された該利用者のパスワードに基づいて、該特定の端末装置の利用者を照合するように構成されており、といえる。
　
（イ）選択された動画データを送信する
　上記（ｅ）の段落【００２１】、図５によれば、該管理装置は、該管理装置に記憶された複数の動画データの中から該利用者によって選択されたものとして、該選択された動画データを送信するように構成されており、といえる。
　
（ウ）複数の端末装置のそれぞれに送信する
　上記（ｅ）の段落【００２１】、図５によれば、該管理装置は、該複数の端末機器のそれぞれに該選択された動画データを送信するように構成されており、といえる。
　
（エ）開始コマンドで動画データを送信する
　上記（ｅ）の段落【００２１】、図５によれば、該管理装置は、該管理装置が該選択された動画データを送信せよという開始コマンドを該利用者から受信した場合には、１つの端末装置に該選択された動画データを送信するといえ、また、当該開始コマンドは、パスワード入力による利用者の照合の後に管理装置に送信しているから、そのような利用者を「該照合された利用者」ということができる。
　よって、該管理装置は、該管理装置が該選択された動画データを送信せよという開始コマンドを該照合された利用者から受信した場合には、１つの端末装置に該選択された動画データを送信するように構成されており、といえる。
　
（オ）中断コマンドで動画データの送信を中断する
　上記（ｅ）の段落【００２３】、図５によれば、該管理装置は、該管理装置が送信を中断せよという中断コマンドを該複数の端末装置のうちの該１つの端末装置の利用者から受信した場合には、１つの端末装置への該選択された動画データの送信を中断するように構成されており、また、当該中断コマンドは、パスワード入力による利用者の照合の後に管理装置に送信しているから、そのような利用者を「該照合された利用者」ということができる。そして、上記（ｄ）の段落【００１４】、図１によれば、端末装置は複数であり、１つの端末装置は、該複数の端末装置のうちの１つの端末装置といえる。
　よって、該管理装置は、該管理装置が送信を中断せよという中断コマンドを該複数の端末装置のうちの該１つの端末装置の該照合された利用者から受信した場合には、該複数の端末装置のうちの１つの端末装置への該選択された動画データの送信を中断するように構成されており、といえる。
　
（カ）中断位置データを記憶する
　上記（ｅ）の段落【００２３】〜【００２４】によれば、中断処理として、中断位置を端末へ送信し、端末はこれを受信し、図３（ａ）に示す形式（利用者ＩＤ、パスワード、動画番号、中断位置データ、中断日付）で、端末のＩＣカードに記憶する（すなわち、端末装置側に再生位置記憶手段を設ける）ことが記載されている。そして、上記（ｃ）、（ｆ）には、再生位置記憶手段（中断位置記憶部）を管理装置の側に設けることができると記載されており、その場合、上記（ｃ）の段落【０００９】〜【００１２】、上記（ｆ）の段落【００２７】によれば、該管理装置が該選択された動画データの送信を中断せよという中断コマンドを受信した場合には、動画データの読出しを中断（当然に、送信も中断）し、中断位置を示す中断位置データを、図３（ｂ）に示す形式で中断位置記憶部３３に記憶していると理解できる。
　よって、該管理装置は、該管理装置が該選択された動画データの送信を中断せよという中断コマンドを受信した場合には、該選択された動画データの送信が中断された中断位置を示す中断位置データを記憶するように構成されており、といえる。
　
（キ）継続コマンドを受信する
　上記（ｃ）の段落【０００９】〜【００１２】、上記（ｅ）の段落【００２５】によれば、該管理装置は、１つの端末装置から、該選択された動画データの送信を再開せよという継続コマンドを受信するように構成されており、また、上述のとおり、端末装置は複数であり、１つの端末装置は、該複数の端末装置のうちの１つの端末装置といえる。
　よって、該管理装置は、該複数の端末装置のうちの１つの端末装置から、該選択された動画データの送信を再開せよという継続コマンドを受信するように構成されており、といえる。
　
（ク）中断位置を決定する
　上記（ｃ）の段落【００１２】、上記（ｆ）の段落【００２８】、図８（ｂ）によれば、該管理装置は、該選択された動画データの送信が中断された中断位置を示す該記憶された中断位置データに基づいて、該選択された動画データの送信が中断された中断位置を決定するように構成されており、といえる。
　
（ケ）動画データの送信を再開する
　上記（ｃ）の段落【０００９】〜【００１２】、上記（ｆ）の段落【００２８】、上記（ｄ）の段落【００２５】、図５、図８（ｂ）によれば、該管理装置は、該管理装置が送信を再開せよという継続コマンドを受信した場合には、該１つの端末装置への該選択された動画データの該送信を再開するように構成されており、といえる。
　
（コ）まとめ（管理装置）
　上記（ア）ないし（ケ）によれば、刊行物１の「動画再生システム」では、該管理装置は、
　　特定の端末機器から送信された該利用者のパスワードに基づいて、該特定の端末装置の利用者を照合するように構成されており、
　　該管理装置に記憶された複数の動画データの中から該利用者によって選択されたものとして、該選択された動画データを送信するように構成されており、
　　該複数の端末機器のそれぞれに該選択された動画データを送信するように構成されており、
　　該管理装置が該選択された動画データを送信せよという開始コマンドを該照合された利用者から受信した場合には、１つの端末装置に該選択された動画データを送信するように構成されており、
　　該管理装置が送信を中断せよという中断コマンドを該複数の端末装置のうちの該１つの端末装置の該照合された利用者から受信した場合には、該複数の端末装置のうちの１つの端末装置への該選択された動画データの送信を中断するように構成されており、
　　該管理装置が該選択された動画データの送信を中断せよという中断コマンドを受信した場合には、該選択された動画データの送信が中断された中断位置を示す中断位置データを記憶するように構成されており、
　　該複数の端末装置のうちの１つの端末装置から、該選択された動画データの送信を再開せよという継続コマンドを受信するように構成されており、
　　該選択された動画データの送信が中断された中断位置を示す該記憶された中断位置データに基づいて、該選択された動画データの送信が中断された中断位置を決定するように構成されており、
　　該管理装置が送信を再開せよという継続コマンドを受信した場合には、該１つの端末装置への該選択された動画データの該送信を再開するように構成されており、
　といえる。
　
ウ　選択された動画データの送信は、該動画データの先頭から始まり
　上記（ｄ）の段落【００２１】によれば、所望の動画を先頭から再生する処理である新規再生処理の場合、選択された動画データの動画番号が管理装置へ送信され、管理装置は、動画データの読出しをその先頭から開始するとともに端末に送信しているといえる。また、動画データの選択は、パスワード入力による利用者の照合の後に行っているから、そのような利用者を「該照合された利用者」ということができる。
　よって、刊行物１の「動画再生システム」では、該選択された動画データは、該管理装置に記憶された複数の動画データの中から該照合された利用者によって選択され、該選択された動画データの送信は、該動画データの先頭から始まり、といえる。
　
エ　決定された中断位置から再開され
　上記（ｄ）の段落【００２５】によれば、再生を中断した後、再びその中断位置から再生する継続再生処理の場合、選択された動画データの端末装置への送信は、該選択された動画データの送信が中断された中断位置から再開されているといえ、上述のように、再生位置記憶手段（中断位置記憶部）を管理装置の側に設けた場合には、中断位置が、管理装置により決定された中断位置になると理解できる。
　よって、刊行物１の「動画再生システム」では、該選択された動画データの該１つの端末装置への送信は、該選択された動画データの送信が中断された該決定された中断位置から再開され、といえる。
　
オ　利用者からの指示入力を入力させる入力部を備える
　上記（ｄ）の段落【００１６】によれば、該端末装置は、利用者からの各種指示入力を行う入力部を備えており、また、上述のとおり、端末装置は複数であるから、刊行物１の「動画再生システム」では、該端末装置のそれぞれは、利用者からの指示入力を入力させる入力部を備えるように構成され、といえる。
　
カ　送信するように要求するための指示入力を該照合された利用者から入力させる
　上述のとおり、端末装置の該入力部は、選択された動画データを該１つの端末装置に送信するように要求するための指示入力を利用者から入力させるものであり、また、当該入力は、パスワード入力による利用者の照合の後に行っているから、そのような利用者を「該照合された利用者」ということができる。
　よって、刊行物１の「動画再生システム」では、該１つの端末装置の該入力部は、該選択された動画データを該１つの端末装置に送信するように要求するための指示入力を該照合された利用者から入力させるように構成され、といえる。
　
キ　選択された動画データの送信を中断するように該照合された利用者が要求する
　上述のとおり、端末装置の該入力部は、選択された動画データの送信を中断するように要求するための指示入力を利用者から入力させることによって、送信されている選択された動画データの送信を中断するように利用者が要求するものといえ、また、当該入力及び要求は、パスワード入力による利用者の照合の後に行っているから、そのような利用者を「該照合された利用者」ということができる。
　よって、刊行物１の「動画再生システム」では、該１つの端末装置の該入力部は、該選択された動画データの送信を中断するように要求するための指示入力を該照合された利用者から入力させることによって、該１つの端末装置に送信されている該選択された動画データの送信を中断するように該照合された利用者が要求することを可能にし、といえる。
　
ク　選択された動画データの送信を再開するように該照合された利用者が要求する
　上述のとおり、端末装置の該入力部は、選択された動画データの送信を中断位置から再生の再開を要求するための指示入力を利用者から入力させることによって、選択された動画データの送信を再開するように利用者が要求するものといえ、また、当該入力及び要求は、パスワード入力による利用者の照合の後に行っているから、そのような利用者を「該照合された利用者」ということができる。
　よって、刊行物１の「動画再生システム」では、該１つの端末装置の該入力部は、該選択された動画データの送信を中断位置から再生の再開を要求するための指示入力を該照合された利用者から入力させることによって、該１つの端末装置への該選択された動画データの送信を再開するように該照合された利用者が要求することを可能にする、といえる。
　
ケ　まとめ
　上記アないしクによれば、刊行物１に記載された発明（以下「刊行物発明」という）として、以下のとおりのものを認定することができる。
　
「複数の端末装置と、
　動画データを一括管理する管理装置と
　を備えた動画再生システムであって、
　該複数の端末装置のそれぞれは、
　　該管理装置に記憶された複数の動画データの中から利用者によって選択された動画データの送信を要求するための指示入力を入力させるように構成されており、
　　該管理装置から送信された動画データをモニタにおいて動画として再生するように構成されており、
　　選択された動画データの送信を中断するように要求するための指示入力を入力させることによって、該選択された動画データの送信を中断するように該利用者が要求することを可能にするように構成されており、
　　該選択された動画データの送信を再開するように要求するための指示入力を入力させることによって、該送信が中断された中断位置から該選択された動画データの該送信を再開するように該利用者が要求することを可能にするように構成されており、
　　特定の端末装置において該利用者を照合するために該管理装置に該利用者のパスワードを入力させるように構成されており、
　該管理装置は、
　　特定の端末機器から送信された該利用者のパスワードに基づいて、該特定の端末装置の利用者を照合するように構成されており、
　　該管理装置に記憶された複数の動画データの中から該利用者によって選択されたものとして、該選択された動画データを送信するように構成されており、
　　該複数の端末機器のそれぞれに該選択された動画データを送信するように構成されており、
　　該管理装置が該選択された動画データを送信せよという開始コマンドを該照合された利用者から受信した場合には、１つの端末装置に該選択された動画データを送信するように構成されており、
　　該管理装置が送信を中断せよという中断コマンドを該複数の端末装置のうちの該１つの端末装置の該照合された利用者から受信した場合には、該複数の端末装置のうちの１つの端末装置への該選択された動画データの送信を中断するように構成されており、
　　該管理装置が該選択された動画データの送信を中断せよという中断コマンドを受信した場合には、該選択された動画データの送信が中断された中断位置を示す中断位置データを記憶するように構成されており、
　　該複数の端末装置のうちの１つの端末装置から、該選択された動画データの送信を再開せよという継続コマンドを受信するように構成されており、
　　該選択された動画データの送信が中断された中断位置を示す該記憶された中断位置データに基づいて、該選択された動画データの送信が中断された中断位置を決定するように構成されており、
　　該管理装置が送信を再開せよという継続コマンドを受信した場合には、該１つの端末装置への該選択された動画データの該送信を再開するように構成されており、
　該選択された動画データは、該管理装置に記憶された複数の動画データの中から該照合された利用者によって選択され、該選択された動画データの送信は、該動画データの先頭から始まり、
　該選択された動画データの該１つの端末装置への送信は、該選択された動画データの送信が中断された該決定された中断位置から再開され、
　該端末装置のそれぞれは、利用者からの指示入力を入力させる入力部を備えるように構成され、
　該１つの端末装置の該入力部は、該選択された動画データを該１つの端末装置に送信するように要求するための指示入力を該照合された利用者から入力させるように構成され、
　該１つの端末装置の該入力部は、該選択された動画データの送信を中断するように要求するための指示入力を該照合された利用者から入力させることによって、該１つの端末装置に送信されている該選択された動画データの送信を中断するように該照合された利用者が要求することを可能にし、
　該１つの端末装置の該入力部は、該選択された動画データの送信を中断位置から再生の再開を要求するための指示入力を該照合された利用者から入力させることによって、該１つの端末装置への該選択された動画データの送信を再開するように該照合された利用者が要求することを可能にする、
　動画再生システム。」
　
２　対比
　本願発明と刊行物発明とを対比する。
（１）「複数のユーザ機器デバイスと、遠隔配信施設として構成されている遠隔メディア−オン−デマンドサーバとを備えた対話式メディア−オン−デマンドシステムであって、」について
　刊行物発明の「複数の端末装置」、「動画データを一括管理する管理装置」、「動画再生システム」は、それぞれ、本願発明の「複数のユーザ機器デバイス」、「遠隔配信施設として構成されている遠隔メディア−オン−デマンドサーバ」、「対話式メディア−オン−デマンドシステム」に対応するといえるので、刊行物発明の「複数の端末装置と、動画データを一括管理する管理装置とを備えた動画再生システムであって、」は、本願発明の「複数のユーザ機器デバイスと、遠隔配信施設として構成されている遠隔メディア−オン−デマンドサーバとを備えた対話式メディア−オン−デマンドシステムであって、」と相違しない。
　
（２）「該複数のユーザ機器デバイスのそれぞれは、・・・構成されており、」について
　刊行物発明の「該複数の端末装置のそれぞれ」は、本願発明の「該複数のユーザ機器デバイスのそれぞれ」に対応するといえる。そこで、刊行物発明の「該複数の端末装置のそれぞれ」の各構成と、本願発明の「該複数のユーザ機器デバイスのそれぞれ」の各構成を、それぞれ順に対比する。
　
ア　「該複数のユーザ機器デバイスのそれぞれは、該遠隔メディア−オン−デマンドサーバに格納された複数のメディア−オン−デマンド番組の中からユーザによって選択されたメディア−オン−デマンド番組の送達を要求するための命令を受け取るように構成されており、」について
　刊行物発明の「複数の端末装置」、「管理装置に記憶された」、「動画データ」、「利用者」、「送信を要求するための指示入力を入力させる」は、それぞれ、本願発明の「複数のユーザ機器デバイス」、「遠隔メディア−オン−デマンドサーバに格納された」、「複数のメディア−オン−デマンド番組」、「ユーザ」、「送達を要求するための命令を受け取る」に対応するといえる。
　よって、刊行物発明の「該複数の端末装置のそれぞれは、該管理装置に記憶された複数の動画データの中から利用者によって選択された動画データの送信を要求するための指示入力を入力させるように構成されており、」は、本願発明の「該複数のユーザ機器デバイスのそれぞれは、該遠隔メディア−オン−デマンドサーバに格納された複数のメディア−オン−デマンド番組の中からユーザによって選択されたメディア−オン−デマンド番組の送達を要求するための命令を受け取るように構成されており、」と相違しない。
　
イ　「該遠隔メディア−オン−デマンドサーバから送達されたメディア−オン−デマンド番組を該ユーザに提示するように構成されており、」について
　刊行物発明の「該管理装置から送信された動画データ」は、本願発明の「該遠隔メディア−オン−デマンドサーバから送達されたメディア−オン−デマンド番組」に対応するといえ、また、刊行物発明の「動画データをモニタにおいて動画として再生する」は、本願発明の「メディア−オン−デマンド番組を該ユーザに提示する」と相違しない。
　よって、刊行物発明の「該管理装置から送信された動画データをモニタにおいて動画として再生するように構成されており、」は、本願発明の「該遠隔メディア−オン−デマンドサーバから送達されたメディア−オン−デマンド番組を該ユーザに提示するように構成されており、」と相違しない。
　
ウ　「選択されたメディア−オン−デマンド番組の送達を凍結するように要求するための命令を受け取ることによって、該選択されたメディア−オン−デマンド番組の送達を凍結するように該ユーザが要求することを可能にするように構成されており、」について
　刊行物発明の「選択された動画データの送信を中断するように要求するための指示入力を入力させる」は、本願発明の「選択されたメディア−オン−デマンド番組の送達を凍結するように要求するための命令を受け取る」と相違せず、また、刊行物発明の「該選択された動画データの送信を中断するように該利用者が要求する」は、本願発明の「該選択されたメディア−オン−デマンド番組の送達を凍結するように該ユーザが要求する」と相違しない。
　よって、刊行物発明の「選択された動画データの送信を中断するように要求するための指示入力を入力させることによって、該選択された動画データの送信を中断するように該利用者が要求することを可能にするように構成されており、」は、本願発明の「選択されたメディア−オン−デマンド番組の送達を凍結するように要求するための命令を受け取ることによって、該選択されたメディア−オン−デマンド番組の送達を凍結するように該ユーザが要求することを可能にするように構成されており、」と相違しない。
　
エ　「該選択されたメディア−オン−デマンド番組の送達を再開するように要求するための命令を受け取ることによって、該送達が凍結されたポイントから該選択されたメディア−オン−デマンド番組の該送達を再開するように該ユーザが要求することを可能にするように構成されており、」について
　刊行物発明の「該選択された動画データの送信を再開するように要求するための指示入力を入力させる」は、本願発明の「該選択されたメディア−オン−デマンド番組の送達を再開するように要求するための命令を受け取る」と相違せず、また、刊行物発明の「該送信が中断された中断位置」は、本願発明の「該送達が凍結されたポイント」に対応するといえるので、刊行物発明の「該送信が中断された中断位置から該選択された動画データの該送信を再開するように該利用者が要求する」は、本願発明の「該送達が凍結されたポイントから該選択されたメディア−オン−デマンド番組の該送達を再開するように該ユーザが要求する」と相違しない。
　よって、刊行物発明の「該選択された動画データの送信を再開するように要求するための指示入力を入力させることによって、該送信が中断された中断位置から該選択された動画データの該送信を再開するように該利用者が要求することを可能にするように構成されており、」は、本願発明の「該選択されたメディア−オン−デマンド番組の送達を再開するように要求するための命令を受け取ることによって、該送達が凍結されたポイントから該選択されたメディア−オン−デマンド番組の該送達を再開するように該ユーザが要求することを可能にするように構成されており、」と相違しない。
　
オ　「所与のユーザ機器デバイスにおいて該ユーザを識別するために該遠隔メディア−オン−デマンドサーバに該ユーザに関連した情報を提供するための命令を受け取るように構成されており、」について
　刊行物発明の「特定の端末装置」、「該利用者を照合」、「該利用者のパスワードを入力させる」は、それぞれ、本願発明の「所与のユーザ機器デバイス」、「該ユーザを識別」、「該ユーザに関連した情報を提供するための命令を受け取る」に対応するといえる。
　よって、刊行物発明の「特定の端末装置において該利用者を照合するために該管理装置に該利用者のパスワードを入力させるように構成されており、」は、本願発明の「所与のユーザ機器デバイスにおいて該ユーザを識別するために該遠隔メディア−オン−デマンドサーバに該ユーザに関連した情報を提供するための命令を受け取るように構成されており、」と相違しない。
　
カ　まとめ（複数のユーザ機器デバイス）
　上記アないしオによれば、刊行物発明の「該複数の端末装置のそれぞれは、
　　該管理装置に記憶された複数の動画データの中から利用者によって選択された動画データの送信を要求するための指示入力を入力させるように構成されており、
　　該管理装置から送信された動画データをモニタにおいて動画として再生するように構成されており、
　　選択された動画データの送信を中断するように要求するための指示入力を入力させることによって、該選択された動画データの送信を中断するように該利用者が要求することを可能にするように構成されており、
　　該選択された動画データの送信を再開するように要求するための指示入力を入力させることによって、該送信が中断された中断位置から該選択された動画データの該送信を再開するように該利用者が要求することを可能にするように構成されており、
　　特定の端末装置において該利用者を照合するために該管理装置に該利用者のパスワードを入力させるように構成されており、」は、
　本願発明の「該複数のユーザ機器デバイスのそれぞれは、該遠隔メディア−オン−デマンドサーバに格納された複数のメディア−オン−デマンド番組の中からユーザによって選択されたメディア−オン−デマンド番組の送達を要求するための命令を受け取るように構成されており、該遠隔メディア−オン−デマンドサーバから送達されたメディア−オン−デマンド番組を該ユーザに提示するように構成されており、選択されたメディア−オン−デマンド番組の送達を凍結するように要求するための命令を受け取ることによって、該選択されたメディア−オン−デマンド番組の送達を凍結するように該ユーザが要求することを可能にするように構成されており、該選択されたメディア−オン−デマンド番組の送達を再開するように要求するための命令を受け取ることによって、該送達が凍結されたポイントから該選択されたメディア−オン−デマンド番組の該送達を再開するように該ユーザが要求することを可能にするように構成されており、所与のユーザ機器デバイスにおいて該ユーザを識別するために該遠隔メディア−オン−デマンドサーバに該ユーザに関連した情報を提供するための命令を受け取るように構成されており、」と相違しない。
　
（３）「該遠隔メディア−オン−デマンドサーバは、・・・構成されており、」について
　刊行物発明の「該管理装置」は、本願発明の「該遠隔メディア−オン−デマンドサーバ」に対応するといえる。そこで、刊行物発明の「該管理装置」の各構成と、本願発明の「該遠隔メディア−オン−デマンドサーバ」の各構成を、それぞれ順に対比する。
　
ア　「該遠隔メディア−オン−デマンドサーバは、所与のユーザ機器デバイスから提供された該ユーザに関連した情報に基づいて、該所与のユーザ機器デバイスのユーザを識別するように構成されており、」について
　刊行物発明の「該管理装置」、「特定の端末機器から送信された該利用者のパスワード」、「利用者を照合」は、それぞれ、本願発明の「該遠隔メディア−オン−デマンドサーバ」、「所与のユーザ機器デバイスから提供された該ユーザに関連した情報」、「ユーザを識別」に対応するといえる。
　よって、刊行物発明の「該管理装置は、特定の端末機器から送信された該利用者のパスワードに基づいて、該特定の端末装置の利用者を照合するように構成されており、」は、本願発明の「該遠隔メディア−オン−デマンドサーバは、所与のユーザ機器デバイスから提供された該ユーザに関連した情報に基づいて、該所与のユーザ機器デバイスのユーザを識別するように構成されており、」と相違しない。
　
イ　「該遠隔メディア−オン−デマンドサーバに格納された複数メディア−オン−デマンド番組の中から該ユーザによって選択されたものとして、該選択されたメディア−オン−デマンド番組を提供するように構成されており、」について
　刊行物発明の「該管理装置に記憶された複数の動画データ」、「該利用者によって選択」、「該選択された動画データを送信する」は、それぞれ、本願発明の「該遠隔メディア−オン−デマンドサーバに格納された複数メディア−オン−デマンド番組」、「該ユーザによって選択」、「該選択されたメディア−オン−デマンド番組を提供する」に対応するといえる。
　よって、刊行物発明の「該管理装置に記憶された複数の動画データの中から該利用者によって選択されたものとして、該選択された動画データを送信するように構成されており、」は、本願発明の「該遠隔メディア−オン−デマンドサーバに格納された複数メディア−オン−デマンド番組の中から該ユーザによって選択されたものとして、該選択されたメディア−オン−デマンド番組を提供するように構成されており、」と相違しない。
　
ウ　「該複数のユーザ機器デバイスのそれぞれに該選択されたメディア−オン−デマンド番組を送達するように構成されており、」について
　刊行物発明の「該複数の端末機器」、「該選択された動画データを送信する」は、それぞれ、本願発明の「該複数のユーザ機器デバイス」、「該選択されたメディア−オン−デマンド番組を送達する」に対応するといえる。
　よって、刊行物発明の「該複数の端末機器のそれぞれに該選択された動画データを送信するように構成されており、」は、本願発明の「該複数のユーザ機器デバイスのそれぞれに該選択されたメディア−オン−デマンド番組を送達するように構成されており、」と相違しない。
　
エ　「該遠隔メディア−オン−デマンドサーバが該選択されたメディア−オン−デマンド番組を送達せよという要求を該識別されたユーザから受け取った場合には、第１のユーザ機器デバイスに該選択されたメディア−オン−デマンド番組を送達するように構成されており、」について
　刊行物発明の「該管理装置が該選択された動画データを送信せよという開始コマンドを該照合された利用者から受信した場合」は、本願発明の「該遠隔メディア−オン−デマンドサーバが該選択されたメディア−オン−デマンド番組を送達せよという要求を該識別されたユーザから受け取った場合」と相違しない。また、刊行物発明の「１つの端末装置」は、本願発明でいうところの「ユーザ機器デバイス」であるといえるので、刊行物発明の「１つの端末装置に該選択された動画データを送信する」は、本願発明でいう「第１のユーザ機器デバイスに該選択されたメディア−オン−デマンド番組を送達する」に対応するといえるものの、刊行物発明では、選択されたメディア−オン−デマンド番組を送達するユーザ機器デバイスが、「第１の」ユーザ機器デバイスとはいえない。
　よって、刊行物発明の「該管理装置が該選択された動画データを送信せよという開始コマンドを該照合された利用者から受信した場合には、１つの端末装置に該選択された動画データを送信するように構成されており」は、刊行物発明では、選択されたメディア−オン−デマンド番組を送達するユーザ機器デバイスが、「第１の」ユーザ機器デバイスとはいえない点を除き、本願発明の「該遠隔メディア−オン−デマンドサーバが該選択されたメディア−オン−デマンド番組を送達せよという要求を該識別されたユーザから受け取った場合には、第１のユーザ機器デバイスに該選択されたメディア−オン−デマンド番組を送達するように構成されており、」と相違しない。
　すなわち、選択されたメディア−オン−デマンド番組を送達するユーザ機器デバイスが、本願発明では、「第１の」ユーザ機器デバイスであるのに対し、刊行物発明では、「第１の」ユーザ機器デバイスであるとはいえない点で相違が認められる。
　
オ　「該遠隔メディア−オン−デマンドサーバが送達を凍結せよという要求を該複数のユーザ機器デバイスのうちの該第１のユーザ機器デバイスの該識別されたユーザから受け取った場合には、該複数のユーザ機器デバイスのうちの該第１のユーザ機器デバイスへの該選択されたメディア−オン−デマンド番組の送達を凍結するように構成されており、」について
　刊行物発明の「該管理装置」、「送信を中断せよという中断コマンド」、「該複数の端末装置のうちの該１つの端末装置の該照合された利用者」は、それぞれ、本願発明の「該遠隔メディア−オン−デマンドサーバ」、「送達を凍結せよという要求」、「該複数のユーザ機器デバイスのうちの該ユーザ機器デバイスの該識別されたユーザ」に対応するといえるから、刊行物発明の「該管理装置が送信を中断せよという中断コマンドを該複数の端末装置のうちの該１つの端末装置から受信した場合」は、本願発明でいう「該遠隔メディア−オン−デマンドサーバが送達を凍結せよという要求を該複数のユーザ機器デバイスのうちの該第１のユーザ機器デバイスの該識別されたユーザから受け取った場合」に対応するといえるものの、刊行物発明では、送達を凍結せよという要求を受け取るユーザ機器デバイスが、「該第１の」ユーザ機器デバイスとはいえない。
　また、刊行物発明の「該複数の端末装置のうちの１つの端末装置への該選択された動画データの送信を中断する」は、本願発明でいう「該複数のユーザ機器デバイスのうちの該第１のユーザ機器デバイスへの該選択されたメディア−オン−デマンド番組の送達を凍結する」に対応するといえるものの、刊行物発明では、送達を凍結するユーザ機器デバイスが、「該第１の」ユーザ機器デバイスとはいえない。
　よって、刊行物発明の「該管理装置が送信を中断せよという中断コマンドを該複数の端末装置のうちの該１つの端末装置の該照合された利用者から受信した場合には、該複数の端末装置のうちの１つの端末装置への該選択された動画データの送信を中断するように構成されており、」は、刊行物発明では、送達を凍結せよという要求を受け取るユーザ機器デバイス、及び、送達を凍結するユーザ機器デバイスが、「該第１の」ユーザ機器デバイスとはいえない点を除き、本願発明の「該遠隔メディア−オン−デマンドサーバが送達を凍結せよという要求を該複数のユーザ機器デバイスのうちの該第１のユーザ機器デバイスの該識別されたユーザから受け取った場合には、該複数のユーザ機器デバイスのうちの該第１のユーザ機器デバイスへの該選択されたメディア−オン−デマンド番組の送達を凍結するように構成されており、」と相違しない。
　すなわち、送達を凍結せよという要求を受け取るユーザ機器デバイス、及び、送達を凍結するユーザ機器デバイスが、本願発明では、「該第１の」ユーザ機器デバイスであるのに対し、刊行物発明では、「該第１の」ユーザ機器デバイスであるとはいえない点で相違が認められる。
　
カ　「該遠隔メディア−オン−デマンドサーバが該選択されたメディア−オン−デマンド番組の送達を凍結せよという要求を受け取った場合には、該選択されたメディア−オン−デマンド番組の送達が凍結されたポイントを識別する情報を格納するように構成されており、」について
　刊行物発明の「該管理装置が該選択された動画データの送信を中断せよという中断コマンドを受信した場合」は、本願発明の「該遠隔メディア−オン−デマンドサーバが該選択されたメディア−オン−デマンド番組の送達を凍結せよという要求を受け取った場合」と相違せず、また、刊行物発明の「送信が中断された中断位置」は、本願発明の「送達が凍結されたポイント」に対応するといえるので、刊行物発明の「該選択された動画データの送信が中断された中断位置を示す中断位置データを記憶する」は、本願発明の「該選択されたメディア−オン−デマンド番組の送達が凍結されたポイントを識別する情報を格納する」と相違しない。
　よって、刊行物発明の「該管理装置が該選択された動画データの送信を中断せよという中断コマンドを受信した場合には、該選択された動画データの送信が中断された中断位置を示す中断位置データを記憶するように構成されており、」は、本願発明の「該遠隔メディア−オン−デマンドサーバが該選択されたメディア−オン−デマンド番組の送達を凍結せよという要求を受け取った場合には、該選択されたメディア−オン−デマンド番組の送達が凍結されたポイントを識別する情報を格納するように構成されており、」と相違しない。
　
キ　「該複数のユーザ機器デバイスのうちの第２のユーザ機器デバイスから、該選択されたメディア−オン−デマンド番組の送達を再開せよという要求を受け取るように構成されており、」について
　刊行物発明の「該複数の端末装置のうちの１つの端末装置から、該選択された動画データの送信を再開せよという継続コマンドを受信する」は、本願発明でいう「該複数のユーザ機器デバイスのうちの第２のユーザ機器デバイスから、該選択されたメディア−オン−デマンド番組の送達を再開せよという要求を受け取る」に対応するといえるものの、刊行物発明では、送達を再開せよという要求を受け取るユーザ機器デバイスが、「第２の」ユーザ機器デバイスとはいえない。
　よって、刊行物発明の「該複数の端末装置のうちの１つの端末装置から、該選択された動画データの送信を再開せよという継続コマンドを受信するように構成されており、」は、刊行物発明では、送達を再開せよという要求を受け取るユーザ機器デバイスが、「第２の」ユーザ機器デバイスとはいえない点を除き、本願発明の「該複数のユーザ機器デバイスのうちの第２のユーザ機器デバイスから、該選択されたメディア−オン−デマンド番組の送達を再開せよという要求を受け取るように構成されており、」と相違しない。
　すなわち、送達を再開せよという要求を受け取るユーザ機器デバイスが、本願発明では、「第２の」ユーザ機器デバイスであるのに対し、刊行物発明では、「第２の」ユーザ機器デバイスであるとはいえない点で相違が認められる。
　
ク　「該選択されたメディア−オン−デマンド番組の送達が凍結されたポイントを識別する該格納された情報に基づいて、該選択されたメディア−オン−デマンド番組の送達が凍結されたポイントを決定するように構成されており、」について
　刊行物発明の「該選択された動画データの送信が中断された中断位置を示す該記憶された中断位置データ」は、本願発明の「該選択されたメディア−オン−デマンド番組の送達が凍結されたポイントを識別する該格納された情報」と相違せず、また、刊行物発明の「該選択された動画データの送信が中断された中断位置を決定する」は、本願発明の「該選択されたメディア−オン−デマンド番組の送達が凍結されたポイントを決定する」と相違しない。
　よって、刊行物発明の「該選択された動画データの送信が中断された中断位置を示す該記憶された中断位置データに基づいて、該選択された動画データの送信が中断された中断位置を決定するように構成されており、」は、本願発明の「該選択されたメディア−オン−デマンド番組の送達が凍結されたポイントを識別する該格納された情報に基づいて、該選択されたメディア−オン−デマンド番組の送達が凍結されたポイントを決定するように構成されており、」と相違しない。
　
ケ　「該遠隔メディア−オン−デマンドサーバが送達を再開せよという要求を受け取った場合には、該第２のユーザ機器デバイスへの該選択されたメディア−オン−デマンド番組の該送達を再開するように構成されており、」について
　刊行物発明の「該管理装置が送信を再開せよという継続コマンドを受信した場合」は、本願発明の「該遠隔メディア−オン−デマンドサーバが送達を再開せよという要求を受け取った場合」と相違しない。また、刊行物発明の「該１つの端末装置への該選択された動画データの該送信を再開する」は、本願発明でいう「該第２のユーザ機器デバイスへの該選択されたメディア−オン−デマンド番組の該送達を再開する」に対応するといえるものの、刊行物発明では、送達を再開するユーザ機器デバイスが、「該第２の」ユーザ機器デバイスとはいえない。
　よって、刊行物発明の「該管理装置が送信を再開せよという継続コマンドを受信した場合には、該１つの端末装置への該選択された動画データの該送信を再開する」は、刊行物発明では、送達を再開するユーザ機器デバイスが、「該第２の」ユーザ機器デバイスとはいえない点を除き、本願発明の「該遠隔メディア−オン−デマンドサーバが送達を再開せよという要求を受け取った場合には、該第２のユーザ機器デバイスへの該選択されたメディア−オン−デマンド番組の該送達を再開するように構成されており、」と相違しない。
　すなわち、送達を再開するユーザ機器デバイスが、本願発明では、「該第２の」ユーザ機器デバイスであるのに対し、刊行物発明では、「該第２の」ユーザ機器デバイスであるとはいえない点で相違が認められる。
　
コ　まとめ（遠隔メディア−オン−デマンドサーバ）
　上記アないしケによれば、刊行物発明の「前記管理装置は、
　　特定の端末機器から送信された該利用者のパスワードに基づいて、該特定の端末装置の利用者を照合するように構成されており、
　　該管理装置に記憶された複数の動画データの中から該利用者によって選択されたものとして、該選択された動画データを送信するように構成されており、
　　該複数の端末機器のそれぞれに該選択された動画データを送信するように構成されており、
　　該管理装置が該選択された動画データを送信せよという開始コマンドを該照合された利用者から受信した場合には、１つの端末装置に該選択された動画データを送信するように構成されており、
　　該管理装置が送信を中断せよという中断コマンドを該複数の端末装置のうちの該１つの端末装置から受信した場合には、該複数の端末装置のうちの１つの端末装置への該選択された動画データの送信を中断するように構成されており、
　　該管理装置が該選択された動画データの送信を中断せよという中断コマンドを受信した場合には、該選択された動画データの送信が中断された中断位置を示す中断位置データを記憶するように構成されており、
　　該複数の端末装置のうちの１つの端末装置から、該選択された動画データの送信を再開せよという継続コマンドを受信するように構成されており、
　　該選択された動画データの送信が中断された中断位置を示す該記憶された中断位置データに基づいて、該選択された動画データの送信が中断された中断位置を決定するように構成されており、
　　該管理装置が送信を再開せよという継続コマンドを受信した場合には、該１つの端末装置への該選択された動画データの該送信を再開するように構成されており、」は、
　刊行物発明では、選択されたメディア−オン−デマンド番組を送達するユーザ機器デバイスが、「第１の」ユーザ機器デバイスとはいえず、
　送達を凍結せよという要求を受け取るユーザ機器デバイス、及び、送達を凍結するユーザ機器デバイスが、「該第１の」ユーザ機器デバイスとはいえず、
　送達を再開せよという要求を受け取るユーザ機器デバイスが、「第２の」ユーザ機器デバイスとはいえず、
　送達を再開するユーザ機器デバイスが、「該第２の」ユーザ機器デバイスとはいえない点を除き、
　本願発明の「該遠隔メディア−オン−デマンドサーバは、所与のユーザ機器デバイスから提供された該ユーザに関連した情報に基づいて、該所与のユーザ機器デバイスのユーザを識別するように構成されており、該遠隔メディア−オン−デマンドサーバに格納された複数メディア−オン−デマンド番組の中から該ユーザによって選択されたものとして、該選択されたメディア−オン−デマンド番組を提供するように構成されており、該複数のユーザ機器デバイスのそれぞれに該選択されたメディア−オン−デマンド番組を送達するように構成されており、該遠隔メディア−オン−デマンドサーバが該選択されたメディア−オン−デマンド番組を送達せよという要求を該識別されたユーザから受け取った場合には、第１のユーザ機器デバイスに該選択されたメディア−オン−デマンド番組を送達するように構成されており、該遠隔メディア−オン−デマンドサーバが送達を凍結せよという要求を該複数のユーザ機器デバイスのうちの該第１のユーザ機器デバイスの該識別されたユーザから受け取った場合には、該複数のユーザ機器デバイスのうちの該第１のユーザ機器デバイスへの該選択されたメディア−オン−デマンド番組の送達を凍結するように構成されており、該遠隔メディア−オン−デマンドサーバが該選択されたメディア−オン−デマンド番組の送達を凍結せよという要求を受け取った場合には、該選択されたメディア−オン−デマンド番組の送達が凍結されたポイントを識別する情報を格納するように構成されており、該複数のユーザ機器デバイスのうちの第２のユーザ機器デバイスから、該選択されたメディア−オン−デマンド番組の送達を再開せよという要求を受け取るように構成されており、該選択されたメディア−オン−デマンド番組の送達が凍結されたポイントを識別する該格納された情報に基づいて、該選択されたメディア−オン−デマンド番組の送達が凍結されたポイントを決定するように構成されており、該遠隔メディア−オン−デマンドサーバが送達を再開せよという要求を受け取った場合には、該第２のユーザ機器デバイスへの該選択されたメディア−オン−デマンド番組の該送達を再開するように構成されており、」と相違しない。
　すなわち、選択されたメディア−オン−デマンド番組を送達するユーザ機器デバイスが、本願発明では、「第１の」ユーザ機器デバイスであるのに対し、刊行物発明では、「第１の」ユーザ機器デバイスであるとはいえない点、
　送達を凍結せよという要求を受け取るユーザ機器デバイス、及び、送達を凍結するユーザ機器デバイスが、本願発明では、「該第１の」ユーザ機器デバイスであるのに対し、刊行物発明では、「該第１の」ユーザ機器デバイスであるとはいえない点、
　送達を再開せよという要求を受け取るユーザ機器デバイスが、本願発明では、「第２の」ユーザ機器デバイスであるのに対し、刊行物発明では、「第２の」ユーザ機器デバイスであるとはいえない点
　送達を再開するユーザ機器デバイスが、本願発明では、「該第２の」ユーザ機器デバイスであるのに対し、刊行物発明では、「該第２の」ユーザ機器デバイスであるとはいえない点で相違が認められる。
　
（４）「該選択されたメディア−オン−デマンド番組は、該遠隔メディア−オン−デマンドサーバに格納された複数のメディア−オン−デマンド番組の中から該識別されたユーザによって選択され、該選択されたメディア−オン−デマンド番組の送達は、該番組の開始から始まり、」について
　刊行物発明の「該選択された動画データ」、「該管理装置に記憶された」、「該照合された利用者」、「該選択された動画データの送信」、「該動画データの先頭から始まり、」は、それぞれ、本願発明の「該選択されたメディア−オン−デマンド番組」、「該遠隔メディア−オン−デマンドサーバに格納された」、「該識別されたユーザ」、「該選択されたメディア−オン−デマンド番組の送達」、「該番組の開始から始まり、」に対応するといえる。
　よって、刊行物発明の「該選択された動画データは、該管理装置に記憶された複数の動画データの中から該照合された利用者によって選択され、該選択された動画データの送信は、該動画データの先頭から始まり、」は、本願発明の「該選択されたメディア−オン−デマンド番組は、該遠隔メディア−オン−デマンドサーバに格納された複数のメディア−オン−デマンド番組の中から該識別されたユーザによって選択され、該選択されたメディア−オン−デマンド番組の送達は、該番組の開始から始まり、」と相違しない。
　
（５）「該選択されたメディア−オン−デマンド番組の該第２のユーザ機器デバイスへの送達は、該選択されたメディア−オン−デマンド番組の送達が凍結された該決定されたポイントから再開され、」について
　刊行物発明の「該選択された動画データの該１つの端末装置への送信」は、本願発明でいう「該選択されたメディア−オン−デマンド番組の該第２のユーザ機器デバイスへの送達」に対応するといえるものの、刊行物発明では、送達するが再開されるユーザ機器デバイスが、「該第２の」ユーザ機器デバイスとはいえない。また、刊行物発明の「該選択された動画データの送信が中断された該決定された中断位置から再開」は、本願発明の「該選択されたメディア−オン−デマンド番組の送達が凍結された該決定されたポイントから再開」と相違しない。
　よって、刊行物発明の「該選択された動画データの該１つの端末装置への送信は、該選択された動画データの送信が中断された該決定された中断位置から再開され、」は、刊行物発明では、送達が再開されるユーザ機器デバイスが、「該第２の」ユーザ機器デバイスとはいえない点を除き、本願発明の「該選択されたメディア−オン−デマンド番組の該第２のユーザ機器デバイスへの送達は、該選択されたメディア−オン−デマンド番組の送達が凍結された該決定されたポイントから再開され、」と相違しない。
　すなわち、送達が再開されるユーザ機器デバイスが、本願発明では、「該第２の」ユーザ機器デバイスであるのに対し、刊行物発明では、「該第２の」ユーザ機器デバイスであるとはいえない点で相違が認められる。
　
（６）「該第１のユーザ機器デバイスおよび該第２のユーザ機器デバイスのそれぞれは、ユーザインターフェースを表示するように構成されており、」について
　刊行物発明の「該端末装置のそれぞれ」は、本願発明でいう「該第１のユーザ機器デバイスおよび該第２のユーザ機器デバイスのそれぞれ」に対応するといえるものの、刊行物発明では、ユーザ機器デバイスが、「該第１の」ユーザ機器デバイスおよび「該第２の」ユーザ機器デバイスとはいえず、また、刊行物発明の「利用者からの指示入力を入力させる入力部」は、本願発明でいう「ユーザインターフェース」に対応するといえるものの、刊行物発明では、ユーザインターフェースを表示するとはいえない。
　よって、刊行物発明の「該端末装置のそれぞれは、利用者からの指示入力を入力させる入力部を備えるように構成され、」は、刊行物発明では、ユーザ機器デバイスが、「該第１の」ユーザ機器デバイスおよび「該第２の」ユーザ機器デバイスとはいえない点、刊行物発明では、ユーザインターフェースを表示するとはいえない点を除き、本願発明の「該第１のユーザ機器デバイスおよび該第２のユーザ機器デバイスのそれぞれは、ユーザインターフェースを表示するように構成されており、」と相違しない。
　すなわち、ユーザ機器デバイスが、本願発明では、「該第１の」ユーザ機器デバイスおよび「該第２の」ユーザ機器デバイスであるのに対し、刊行物発明では、「該第１の」ユーザ機器デバイスおよび「該第２の」ユーザ機器デバイスとはいえない点、
　本願発明では、ユーザインターフェースを表示するのに対し、刊行物発明では、ユーザインターフェースを表示するとはいえない点で相違が認められる。
　
（７）「該第１のユーザ機器デバイスに表示された該ユーザインターフェースは、該選択されたメディア−オン−デマンド番組を該第１のユーザ機器デバイスに送達するように要求するための命令を該識別されたユーザから受け取るように構成されており、」について
　刊行物発明の「該１つの端末装置の該入力部」は、本願発明でいう「該第１のユーザ機器デバイス」のユーザインターフェースに対応するといえるものの、刊行物発明では、該ユーザインターフェースを表示するユーザ機器デバイスが、「該第１の」ユーザ機器デバイスとはいえず、また、表示された該ユーザインターフェースではない。そして、刊行物発明の「該選択された動画データを該１つの端末装置に送信するように要求するための指示入力を該照合された利用者から入力させる」は、本願発明でいう「該選択されたメディア−オン−デマンド番組を該第１のユーザ機器デバイスに送達するように要求するための命令を該識別されたユーザから受け取る」に対応するといえるものの、送達する命令を受け取るユーザ機器デバイスが、「該第１の」ユーザ機器デバイスとはいえない。
　よって、刊行物発明の「該１つの端末装置の該入力部は、該選択された動画データを該１つの端末装置に送信するように要求するための指示入力を該照合された利用者から入力させるように構成され、」は、刊行物発明では、ユーザインターフェースを表示し、送達を要求する命令を受け取るユーザ機器デバイスが、「該第１の」ユーザ機器デバイスとはいえない点、刊行物発明では、表示された該ユーザインターフェースではない点を除き、本願発明の「該第１のユーザ機器デバイスに表示された該ユーザインターフェースは、該選択されたメディア−オン−デマンド番組を該第１のユーザ機器デバイスに送達するように要求するための命令を該識別されたユーザから受け取るように構成されており、」と相違しない。
　すなわち、ユーザインターフェースを表示し、送達を要求する命令を受け取るユーザ機器デバイスが、本願発明では、「該第１の」ユーザ機器デバイスであるのに対し、刊行物発明では、「該第１の」ユーザ機器デバイスとはいえない点、
　本願発明では、表示された該ユーザインターフェースであるのに対し、刊行物発明では、表示された該ユーザインターフェースではない点で相違が認められる。
　
（８）「該第１のユーザ機器デバイスに表示された該ユーザインターフェースは、該選択されたメディア−オン−デマンド番組の送達を凍結するように要求するための命令を該識別されたユーザから受け取ることによって、該第１のユーザ機器デバイスに送達されている該選択されたメディア−オン−デマンド番組の送達を凍結するように該識別されたユーザが要求することを可能にし、」について
　上述のとおり、刊行物発明の「該選択された動画データの送信を中断するように要求するための指示入力を該照合された利用者から入力させる」は、本願発明の「該選択されたメディア−オン−デマンド番組の送達を凍結するように要求するための命令を該識別されたユーザから受け取る」と相違しない。そして、刊行物発明の「該１つの端末装置の該入力部」は、本願発明でいう「該第１のユーザ機器デバイス」のユーザインターフェースに対応するといえるものの、刊行物発明では、ユーザインターフェースを表示するユーザ機器デバイスが、「該第１の」ユーザ機器デバイスとはいえず、また、表示された該ユーザインターフェースではない。さらに、刊行物発明の「該１つの端末装置に送信されている該選択された動画データの送信を中断するように該照合された利用者が要求する」は、本願発明でいう「該第１のユーザ機器デバイスに送達されている該選択されたメディア−オン−デマンド番組の送達を凍結するように該識別されたユーザが要求する」に対応するといえるものの、送達されているユーザ機器デバイスが、「該第１の」ユーザ機器デバイスとはいえない。
　よって、刊行物発明の「該選択された動画データの送信を中断するように要求するための指示入力を該照合された利用者から入力させることによって、該１つの端末装置に送信されている該選択された動画データの送信を中断するように該照合された利用者が要求することを可能にし、」は、刊行物発明では、ユーザインターフェースを表示し、送達の凍結を要求するユーザ機器デバイスが、「該第１の」ユーザ機器デバイスとはいえない点、刊行物発明では、表示された該ユーザインターフェースではない点を除き、本願発明の「該第１のユーザ機器デバイスに表示された該ユーザインターフェースは、該選択されたメディア−オン−デマンド番組の送達を凍結するように要求するための命令を該識別されたユーザから受け取ることによって、該第１のユーザ機器デバイスに送達されている該選択されたメディア−オン−デマンド番組の送達を凍結するように該識別されたユーザが要求することを可能にし、」と相違しない。
　すなわち、ユーザインターフェースを表示し、送達の凍結を要求するユーザ機器デバイスが、本願発明では、「該第１の」ユーザ機器デバイスであるのに対し、刊行物発明では、「該第１の」ユーザ機器デバイスとはいえない点、
　本願発明では、表示された該ユーザインターフェースであるのに対し、刊行物発明では、表示された該ユーザインターフェースではない点で相違が認められる。
　
（９）「該第２のユーザ機器デバイスに表示された該ユーザインターフェースは、該選択されたメディア−オン−デマンド番組の送達を再開するように要求するための命令を該識別されたユーザから受け取ることによって、該第２のユーザ機器デバイスへの該選択されたメディア−オン−デマンド番組の送達を再開するように該識別されたユーザが要求することを可能にする、」について
　上述のとおり、刊行物発明の「該選択された動画データの送信を中断位置から再生の再開を要求するための指示入力を該照合された利用者から入力させる」は、本願発明の「該選択されたメディア−オン−デマンド番組の送達を再開するように要求するための命令を該識別されたユーザから受け取る」と相違しない。そして、刊行物発明の「該１つの端末装置の該入力部」は、本願発明でいう「該第２のユーザ機器デバイス」のユーザインターフェースに対応するといえるものの、刊行物発明では、ユーザインターフェースを表示するユーザ機器デバイスが、「該第２の」ユーザ機器デバイスとはいえず、また、表示された該ユーザインターフェースではない。さらに、刊行物発明の「該１つの端末装置への該選択された動画データの送信を再開するように該照合された利用者が要求する」は、本願発明でいう「該第２のユーザ機器デバイスへの該選択されたメディア−オン−デマンド番組の送達を再開するように該識別されたユーザが要求する」に対応するといえるものの、送達の再開を要求するユーザ機器デバイスが、「該第２の」ユーザ機器デバイスとはいえない。
　よって、刊行物発明の「該１つの端末装置の該入力部は、該選択された動画データの送信を中断位置から再生の再開を要求するための指示入力を該照合された利用者から入力させることによって、該１つの端末装置への該選択された動画データの送信を再開するように該照合された利用者が要求することを可能にする、」は、刊行物発明では、ユーザインターフェースを表示し、送達の再開を要求するユーザ機器デバイスが、「該第２の」ユーザ機器デバイスとはいえない点、刊行物発明では、表示された該ユーザインターフェースではない点を除き、本願発明の「該第２のユーザ機器デバイスに表示された該ユーザインターフェースは、該選択されたメディア−オン−デマンド番組の送達を再開するように要求するための命令を該識別されたユーザから受け取ることによって、該第２のユーザ機器デバイスへの該選択されたメディア−オン−デマンド番組の送達を再開するように該識別されたユーザが要求することを可能にする、」と相違しない。
　すなわち、ユーザインターフェースを表示し、送達の再開を要求するユーザ機器デバイスが、本願発明では、「該第２の」ユーザ機器デバイスであるのに対し、刊行物発明では、「該第２の」ユーザ機器デバイスとはいえない点、
　本願発明では、表示された該ユーザインターフェースであるのに対し、刊行物発明では、表示された該ユーザインターフェースではない点で相違が認められる。
　
（１０）相違点についての検討
　以上の対比における相違点をまとめると、以下のようになる。
　
ア　「第１の」及び「第２の」ユーザ機器デバイスについて
　上記（３）によれば、選択されたメディア−オン−デマンド番組を送達するユーザ機器デバイスが、本願発明では、「第１の」ユーザ機器デバイスであるのに対し、刊行物発明では、「第１の」ユーザ機器デバイスであるとはいえない点、
　送達を凍結せよという要求を受け取るユーザ機器デバイス、及び、送達を凍結するユーザ機器デバイスが、本願発明では、「該第１の」ユーザ機器デバイスであるのに対し、刊行物発明では、「該第１の」ユーザ機器デバイスであるとはいえない点、
　送達を再開せよという要求を受け取るユーザ機器デバイスが、本願発明では、「第２の」ユーザ機器デバイスであるのに対し、刊行物発明では、「第２の」ユーザ機器デバイスであるとはいえない点、
　送達を再開するユーザ機器デバイスが、本願発明では、「該第２の」ユーザ機器デバイスであるのに対し、刊行物発明では、「該第２の」ユーザ機器デバイスであるとはいえない点で相違が認められる。
　上記（５）によれば、送達が再開されるユーザ機器デバイスが、本願発明では、「該第２の」ユーザ機器デバイスであるのに対し、刊行物発明では、「該第２の」ユーザ機器デバイスであるとはいえない点で相違が認められる。
　上記（６）によれば、ユーザ機器デバイスが、本願発明では、「該第１の」ユーザ機器デバイスおよび「該第２の」ユーザ機器デバイスであるのに対し、刊行物発明では、「該第１の」ユーザ機器デバイスおよび「該第２の」ユーザ機器デバイスとはいえない点で相違が認められる。
　上記（７）によれば、ユーザインターフェースを表示し、送達を要求する命令を受け取るユーザ機器デバイスが、本願発明では、「該第１の」ユーザ機器デバイスであるのに対し、刊行物発明では、「該第１の」ユーザ機器デバイスとはいえない点で相違が認められる。
　上記（８）によれば、ユーザインターフェースを表示し、送達の凍結を要求するユーザ機器デバイスが、本願発明では、「該第１の」ユーザ機器デバイスであるのに対し、刊行物発明では、「該第１の」ユーザ機器デバイスとはいえない点で相違が認められる。
　上記（９）によれば、ユーザインターフェースを表示し、送達の再開を要求するユーザ機器デバイスが、本願発明では、「該第２の」ユーザ機器デバイスであるのに対し、刊行物発明では、「該第２の」ユーザ機器デバイスとはいえない点で相違が認められる。
　
　すなわち、本願発明では、ユーザ機器デバイスが、「第１の」ユーザ機器デバイスおよび「第２の」ユーザ機器デバイスからなり、
　送達を要求する命令を受け取り、選択されたメディア−オン−デマンド番組が送達されるとともに、送達を凍結せよという要求を受け取り、送達の凍結を要求し、送達を凍結するユーザ機器デバイスが、「第１の」ユーザ機器デバイスであり、
　送達を再開せよという要求を受け取り、送達の再開を要求し、送達が再開されるユーザ機器デバイスが、「第２の」ユーザ機器デバイスであるのに対し、
　刊行物発明では、ユーザ機器デバイスが、「第１の」ユーザ機器デバイスおよび「第２の」ユーザ機器デバイスからなるとはいえず、そのため、
　送達を要求する命令を受け取り、選択されたメディア−オン−デマンド番組が送達されるとともに、送達を凍結せよという要求を受け取り、送達の凍結を要求し、送達を凍結するユーザ機器デバイスが、「第１の」ユーザ機器デバイスとはいえず、
　送達を再開せよという要求を受け取り、送達の再開を要求し、送達が再開されるユーザ機器デバイスが、「第２の」ユーザ機器デバイスとはいえない点で相違しているといえる。
　
イ　ユーザインターフェースを表示する点について
　上記（６）によれば、本願発明では、ユーザインターフェースを表示するのに対し、刊行物発明では、ユーザインターフェースを表示するとはいえない点で相違が認められる。
　上記（７）ないし（９）によれば、本願発明では、表示された該ユーザインターフェースであるのに対し、刊行物発明では、表示された該ユーザインターフェースではない点で相違が認められる。
　
　すなわち、本願発明では、ユーザインターフェースを表示するものであるのに対し、
　刊行物発明では、ユーザインターフェースを表示するとはいえない点で相違しているといえる。
　
３　一致点、相違点
　以上の対比によれば、本願発明と刊行物発明とは、
［一致点］
「複数のユーザ機器デバイスと、
　遠隔配信施設として構成されている遠隔メディア−オン−デマンドサーバと
　を備えた対話式メディア−オン−デマンドシステムであって、
　該複数のユーザ機器デバイスのそれぞれは、該遠隔メディア−オン−デマンドサーバに格納された複数のメディア−オン−デマンド番組の中からユーザによって選択されたメディア−オン−デマンド番組の送達を要求するための命令を受け取るように構成されており、該遠隔メディア−オン−デマンドサーバから送達されたメディア−オン−デマンド番組を該ユーザに提示するように構成されており、選択されたメディア−オン−デマンド番組の送達を凍結するように要求するための命令を受け取ることによって、該選択されたメディア−オン−デマンド番組の送達を凍結するように該ユーザが要求することを可能にするように構成されており、該選択されたメディア−オン−デマンド番組の送達を再開するように要求するための命令を受け取ることによって、該送達が凍結されたポイントから該選択されたメディア−オン−デマンド番組の該送達を再開するように該ユーザが要求することを可能にするように構成されており、所与のユーザ機器デバイスにおいて該ユーザを識別するために該遠隔メディア−オン−デマンドサーバに該ユーザに関連した情報を提供するための命令を受け取るように構成されており、
　該遠隔メディア−オン−デマンドサーバは、所与のユーザ機器デバイスから提供された該ユーザに関連した情報に基づいて、該所与のユーザ機器デバイスのユーザを識別するように構成されており、該遠隔メディア−オン−デマンドサーバに格納された複数メディア−オン−デマンド番組の中から該ユーザによって選択されたものとして、該選択されたメディア−オン−デマンド番組を提供するように構成されており、該複数のユーザ機器デバイスのそれぞれに該選択されたメディア−オン−デマンド番組を送達するように構成されており、該遠隔メディア−オン−デマンドサーバが該選択されたメディア−オン−デマンド番組を送達せよという要求を該識別されたユーザから受け取った場合には、１つのユーザ機器デバイスに該選択されたメディア−オン−デマンド番組を送達するように構成されており、該遠隔メディア−オン−デマンドサーバが送達を凍結せよという要求を該複数のユーザ機器デバイスのうちの該１つのユーザ機器デバイスの該識別されたユーザから受け取った場合には、該複数のユーザ機器デバイスのうちの該１つのユーザ機器デバイスへの該選択されたメディア−オン−デマンド番組の送達を凍結するように構成されており、該遠隔メディア−オン−デマンドサーバが該選択されたメディア−オン−デマンド番組の送達を凍結せよという要求を受け取った場合には、該選択されたメディア−オン−デマンド番組の送達が凍結されたポイントを識別する情報を格納するように構成されており、該複数のユーザ機器デバイスのうちの１つのユーザ機器デバイスから、該選択されたメディア−オン−デマンド番組の送達を再開せよという要求を受け取るように構成されており、該選択されたメディア−オン−デマンド番組の送達が凍結されたポイントを識別する該格納された情報に基づいて、該選択されたメディア−オン−デマンド番組の送達が凍結されたポイントを決定するように構成されており、該遠隔メディア−オン−デマンドサーバが送達を再開せよという要求を受け取った場合には、該１つのユーザ機器デバイスへの該選択されたメディア−オン−デマンド番組の該送達を再開するように構成されており、
　該選択されたメディア−オン−デマンド番組は、該遠隔メディア−オン−デマンドサーバに格納された複数のメディア−オン−デマンド番組の中から該識別されたユーザによって選択され、該選択されたメディア−オン−デマンド番組の送達は、該番組の開始から始まり、
　該選択されたメディア−オン−デマンド番組の該１つのユーザ機器デバイスへの送達は、該選択されたメディア−オン−デマンド番組の送達が凍結された該決定されたポイントから再開され、
　該ユーザ機器デバイスのそれぞれは、ユーザインターフェースを有しており、
　該１つのユーザ機器デバイスのユーザインターフェースは、該選択されたメディア−オン−デマンド番組を該１つのユーザ機器デバイスに送達するように要求するための命令を該識別されたユーザから受け取るように構成されており、
　該１つのユーザ機器デバイスのユーザインターフェースは、該選択されたメディア−オン−デマンド番組の送達を凍結するように要求するための命令を該識別されたユーザから受け取ることによって、該１つのユーザ機器デバイスに送達されている該選択されたメディア−オン−デマンド番組の送達を凍結するように該識別されたユーザが要求することを可能にし、
　該１つのユーザ機器デバイスのユーザインターフェースは、該選択されたメディア−オン−デマンド番組の送達を再開するように要求するための命令を該識別されたユーザから受け取ることによって、該１つのユーザ機器デバイスへの該選択されたメディア−オン−デマンド番組の送達を再開するように該識別されたユーザが要求することを可能にする、対話式メディア−オン−デマンドシステム。」である点で一致し、以下の点で相違している。
　
［相違点１］
　本願発明では、ユーザ機器デバイスが、「第１の」ユーザ機器デバイスおよび「第２の」ユーザ機器デバイスからなり、
　送達を要求する命令を受け取り、選択されたメディア−オン−デマンド番組が送達されるとともに、送達を凍結せよという要求を受け取り、送達の凍結を要求し、送達を凍結するユーザ機器デバイスが、「第１の」ユーザ機器デバイスであり、
　送達を再開せよという要求を受け取り、送達の再開を要求し、送達が再開されるユーザ機器デバイスが、「第２の」ユーザ機器デバイスであるのに対し、
　刊行物発明では、ユーザ機器デバイスが、「第１の」ユーザ機器デバイスおよび「第２の」ユーザ機器デバイスとはいえず、そのため、
　送達を要求する命令を受け取り、選択されたメディア−オン−デマンド番組が送達されるとともに、送達を凍結せよという要求を受け取り、送達の凍結を要求し、送達を凍結するユーザ機器デバイスが、「第１の」ユーザ機器デバイスとはいえず、
　送達を再開せよという要求を受け取り、送達の再開を要求し、送達が再開されるユーザ機器デバイスが、「第２の」ユーザ機器デバイスとはいえない点。
　
［相違点２］
　本願発明では、ユーザインターフェースを表示するものであるのに対し、
　刊行物発明では、ユーザインターフェースを表示するとはいえない点。
　
４　判断
　上記各相違点について検討する。
（１）相違点１について
　刊行物１のような、１つの管理装置と複数の端末装置を有し、利用者ＩＤとパスワードの入力によって、利用者を照合するシステムでは、１台の端末装置に対し多数の利用者が存在すること、及び、各利用者は複数の端末装置のうちのいずれの端末装置を利用しても、管理装置上の情報を同様に利用可能であること、は当業者にとって技術常識である。ここで、上記（ｂ）の段落【０００８】には、再生位置記憶手段を着脱可能な記憶手段に記憶されるように構成した例において、「中断位置の情報を記憶媒体とともにシステム外に持ち出すことが可能となるので、例えばあるシステムで動画を楽しんだのちその再生を中断し、次に、別の場所にある同種のシステムにおいてその続きを観賞できる等の利点も生ずる。」と記載され、刊行物発明として認定した動画再生システムとは異なる実施態様ではあるものの、「動画再生の中断」（凍結）と「中断位置からの再生」（再開）を異なる端末装置（ユーザ機器デバイス）で行うことが示唆あるいは教示されており、刊行物発明において、「システムで動画を楽しんだのちその再生を中断し、次に、別の場所にある同種のシステムにおいてその続きを観賞できる」という利便性を考慮して、「動画再生の中断」と「中断位置からの再生」を異なる端末装置で行おうとすることは、当業者が容易に想到し得ることである。そして、刊行物発明では、再生位置記憶手段（中断位置記憶部）を管理装置側に設け、中断位置を管理装置側で一括管理しているのであるから、「動画再生の中断」と「中断位置からの再生」を異なる端末装置で行うことに何ら困難性がないことは、上記技術常識に照らせば、当業者が普通に理解するものである。
　以上を踏まえれば、刊行物発明において、動画再生の中断（凍結）以前の操作と中断位置からの再生（再開）以降の操作を異なる端末装置（ユーザ機器デバイス）で行うようするとともに、前者を「第１の」ユーザ機器デバイスとし、後者を「第２の」ユーザ機器デバイスとすることは、当業者が容易に想到し得ることである。
　したがって、刊行物発明において、ユーザ機器デバイスが、「第１の」ユーザ機器デバイスおよび「第２の」ユーザ機器デバイスからなるようにし、送達を要求する命令を受け取り、選択されたメディア−オン−デマンド番組が送達されるとともに、送達を凍結せよという要求を受け取り、送達の凍結を要求し、送達を凍結するユーザ機器デバイスが、「第１の」ユーザ機器デバイスであるようにし、送達を再開せよという要求を受け取り、送達の再開を要求し、送達が再開されるユーザ機器デバイスが、「第２の」ユーザ機器デバイスであるようにすることは、当業者が容易になし得ることである。
　
（２）相違点２について
　ユーザ（利用者）からの要求（入力）を受け付ける端末装置において、ユーザインターフェースを表示し、表示されたユーザインターフェースによって、ユーザが要求を行うこと（すなわち、ＧＵＩを用いること）は、周知技術であるから、刊行物発明において、ユーザインターフェースを表示するものとすることは、当業者が容易になし得ることである。
　
５　効果等
　上記各相違点を総合しても格別の作用効果を奏するものとはいえず、本願発明を全体としてみても、その作用効果は、当業者が予測できる範囲のものである。
　
６　まとめ
　以上によれば、本願発明は、刊行物１に記載された発明及び周知技術に基づいて当業者が容易に発明をすることができたものである。
　
　
第四　むすび
　以上のとおり、本願の請求項１に係る発明は、刊行物１に記載された発明及び周知技術に基づいて当業者が容易に発明をすることができたものであるから、特許法第２９条第２項の規定により特許を受けることができない。
　したがって、本願は、残る請求項２ないし２９に係る発明について検討するまでもなく、拒絶をすべきものである。
　よって、結論のとおり審決する。